【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
複数画素を有する液晶パネルの画素毎に印加電圧を指定した映像信号であって、単位フレーム毎に、第１の映像と、第２の映像とが交互に切り替わる映像を示す映像信号に基づいて、前記印加電圧が第１電圧である第１画素と、前記印加電圧が前記第１電圧よりも大きい第２電圧である第２画素との境界を検出する境界検出部と、
前記境界検出部によりｋ番目（ｋは自然数）の単位フレームで検出された境界が、ｋ−２番目の単位フレームに存在するかどうかを判定する第１判定部と、
前記ｋ番目の単位フレームで検出された境界が、ｋ−１番目からｋ番目の単位フレームにわたって移動した境界かどうかを判定する第２判定部と、
前記ｋ番目の単位フレームで検出された境界のうち、前記第１判定部によりｋ−２番目の単位フレームに存在しないと判定され、且つ、前記第２判定部によりｋ−１番目からｋ番目の単位フレームにわたって移動したと判定された境界に接する画素を補正対象画素とし、当該境界に生じる横電界を低減させるように前記印加電圧を補正する補正部と、
前記補正部により前記印加電圧が補正された映像信号に応じた信号を、当該信号に基づいて前記液晶パネルが駆動されるように出力する出力部と
を備える映像処理回路。
【請求項２】
前記第２判定部は、
前記ｋ番目の単位フレームで検出された境界が、ｋ−１番目からｋ番目の単位フレームにわたって前記第１画素から前記第２画素に変化した画素に接する場合に、前記移動した境界と判定する
ことを特徴とする請求項１に記載の映像処理回路。
【請求項３】
前記第２判定部は、
前記変化した画素に接し、且つ、ｋ−１番目の単位フレームで、ｋ番目の単位フレームとは当該変化した画素を挟んだ反対側で前記境界が検出された場合に、前記移動した境界と判定する
ことを特徴とする請求項２に記載の映像処理回路。
【請求項４】
前記補正部は、
前記ｋ番目の単位フレームで検出された境界のうち、前記移動した境界でない境界に接する画素を、ｋ−２番目の単位フレームで当該画素を挟んで反対側で前記境界が検出された場合に、前記補正対象画素とする
ことを特徴とする請求項１から請求項３のいずれか１項に記載の映像処理回路。
【請求項５】
前記第２の映像は、前記第１の映像を前記液晶パネルにおいて平行移動した映像であり、
前記第１画素と前記第２画素は、隣り合う画素である
ことを特徴とする請求項１から請求項４のいずれか１項に記載の映像処理回路。
【請求項６】
複数画素を有する液晶パネルの画素毎に印加電圧を指定した映像信号であって、単位フレーム毎に、第１の映像と、第２の映像とが交互に切り替わる映像を示す映像信号に基づいて、前記印加電圧が第１電圧である第１画素と、前記印加電圧が前記第１電圧よりも大きい第２電圧である第２画素との境界を検出するステップと、
ｋ番目（ｋは自然数）の単位フレームで検出した境界が、ｋ−２番目の単位フレームに存在するかどうかを判定するステップと、
前記ｋ番目の単位フレームで検出した境界が、ｋ−１番目からｋ番目の単位フレームにわたって移動した境界かどうかを判定するステップと、
前記ｋ番目の単位フレームで検出した境界のうち、ｋ−２番目の単位フレームに存在しないと判定し、且つ、ｋ−１番目からｋ番目の単位フレームにわたって移動したと判定した境界に接する画素を補正対象画素とし、当該境界に生じる横電界を低減させるように前記印加電圧を補正するステップと、
前記印加電圧を補正した映像信号に応じた信号を、当該信号に基づいて前記液晶パネルが駆動されるように出力するステップと
を有する映像処理方法。
【請求項７】
複数画素を有する液晶パネルと、
前記液晶パネルの画素毎に印加電圧を指定した映像信号であって、単位フレーム毎に、第１の映像と、第２の映像とが交互に切り替わる映像を示す映像信号に基づいて、前記印加電圧が第１電圧である第１画素と、前記印加電圧が前記第１電圧よりも大きい第２電圧である第２画素との境界を検出する境界検出部と、
前記境界検出部によりｋ番目（ｋは自然数）の単位フレームで検出された境界が、ｋ−２番目の単位フレームに存在するかどうかを判定する第１判定部と、
前記ｋ番目の単位フレームで検出された境界が、ｋ−１番目からｋ番目の単位フレームにわたって移動した境界かどうかを判定する第２判定部と、
前記ｋ番目の単位フレームで検出された境界のうち、前記第１判定部によりｋ−２番目の単位フレームに存在しないと判定され、且つ、前記第２判定部によりｋ−１番目からｋ番目の単位フレームにわたって移動したと判定された境界に接する画素を補正対象画素とし、当該境界に生じる横電界を低減させるように前記印加電圧を補正する補正部と、
前記補正部により前記印加電圧が補正された映像信号に基づいて、前記液晶パネルを駆動する駆動回路と
を備える電気光学装置。
【請求項８】
前記液晶パネルにより変調された光の光路をシフトさせる光路シフト部と、
前記液晶パネルの駆動に用いられた映像信号が、前記第１の映像又は前記第２の映像のどちらを示すかに応じて、前記光路シフト部を制御するシフト制御回路と
を備えることを特徴とする請求項７に記載の電気光学装置。
【請求項９】
請求項７又は請求項８に記載の電気光学装置を備えた電子機器。
【手続補正２】
【補正対象書類名】明細書
【補正対象項目名】０００５
【補正方法】変更
【補正の内容】
【０００５】
上記目的を達成するために、本発明に係る映像処理回路は、複数画素を有する液晶パネルの画素毎に印加電圧を指定した映像信号であって、単位フレーム毎に、第１の映像と、第２の映像とが交互に切り替わる映像を示す映像信号に基づいて、前記印加電圧が第１電圧である第１画素と、前記印加電圧が前記第１電圧よりも大きい第２電圧である第２画素との境界を検出する境界検出部と、前記境界検出部によりｋ番目（ｋは自然数）の単位フレームで検出された境界が、ｋ−２番目の単位フレームに存在するかどうかを判定する第１判定部と、前記ｋ番目の単位フレームで検出された境界が、ｋ−１番目からｋ番目の単位フレームにわたって移動した境界かどうかを判定する第２判定部と、前記ｋ番目の単位フレームで検出された境界のうち、前記第１判定部によりｋ−２番目の単位フレームに存在しないと判定され、且つ、前記第２判定部によりｋ−１番目からｋ番目の単位フレームにわたって移動したと判定された境界に接する画素を補正対象画素とし、当該境界に生じる横電界を低減させるように前記印加電圧を補正する補正部と、前記補正部により前記印加電圧が補正された映像信号に応じた信号を、当該信号に基づいて前記液晶パネルが駆動されるように出力する出力部とを備える。
この発明によれば、ｋ番目の単位フレームで検出した境界のうち、ｋ−２番目の単位フレームに存在しないと判定し、且つ、ｋ−１番目からｋ番目の単位フレームにわたって移動したと判定した境界に接する画素を補正対象画素とするので、映像の動きを検出してリバースチルトドメインを抑制する補正を行う場合に、特に静止画の表示品位の低下を抑えることができる。
【手続補正３】
【補正対象書類名】明細書
【補正対象項目名】０００８
【補正方法】変更
【補正の内容】
【０００８】
本発明において、前記補正部は、前記ｋ番目の単位フレームで検出された境界のうち、前記移動した境界でない境界に接する画素を、ｋ−２番目の単位フレームで当該画素を挟んで反対側で前記境界が検出された場合に、前記補正対象画素としてもよい。
この発明によれば、ｋ−１番目からｋ番目の単位フレームにわたって移動した境界でない境界に接する画素において、リバースチルトドメインを原因とした表示不具合の発生を抑えることができる。
本発明において、前記第２の映像は、前記第１の映像を前記液晶パネルにおいて平行移動した映像であり、前記第１画素と前記第２画素は、隣り合う画素であってもよい。